(57)【要約】【課題】トラス内の清掃作業を軽減できる乗客コンベアを提供すること。【解決手段】エスカレーター１が、鉛直方向の上方から見たときに、少なくとも一部が、踏段チェーン６及び手摺チェーンのうちの少なくとも一方における少なくとも一部分に重なる位置に配置される油受２４を備えるようにする。油受２４が、その少なくとも一部分滴下した油を収容する凹部を含み、着脱可能な構造を有するようにする。このようにして、上記少なくとも一部分から滴下した油がトラス底面を汚染することを防止する。【選択図】図１
2019189394.tif 000002
【特許請求の範囲】
【請求項１】
踏板を移動させるための踏段チェーンと、手摺を移動させるための手摺チェーンとを備える乗客コンベアであって、
鉛直方向の上方から見たときに、少なくとも一部が、前記踏段チェーン及び前記手摺チェーンのうちの少なくとも一方における少なくとも一部分に重なる位置に配置される油受を備え、
前記油受は、その少なくとも一部から滴下した油を収容する凹部を含み、着脱可能な構造を有する、乗客コンベア。
【請求項２】
前記油受は、鉛直方向の上方から見たとき略直線上に延在する直線延在部を有し、
前記直線延在部は、その延在方向に延在すると共に、前記凹部の少なくとも一部を構成する溝を有し、
前記直線延在部は、前記延在方向に一列に接続される複数の油受セグメントを含み、
前記各油受セグメントは、着脱可能になっている、請求項１に記載の乗客コンベア。
【請求項３】
前記油受セグメントは、略平面からなる載置面を含む、請求項２に記載の乗客コンベア。
【請求項４】
前記直線延在部は、トラスにおいて水平面に対して傾斜する傾斜部に傾斜するように配置される傾斜直線延在部を含み、
前記傾斜直線延在部に含まれると共に前記延在方向に隣り合う２つの前記油受セグメントに関して、鉛直方向の上方から見たとき、上側に配置される前記油受セグメントの油受面における下側端部は、下側に配置される前記油受セグメントの油受面における上側端部に重なると共に、前記上側端部よりも鉛直方向の上側に位置する、請求項２又は３に記載の乗客コンベア。
【請求項５】
前記直線延在部において前記延在方向に隣り合う２つの前記油受セグメントは、磁力で接続されている、請求項２乃至４のいずれか１つに記載の乗客コンベア。
【請求項６】
前記油受セグメントは、油受面の幅が前記延在方向の一方側に行くにしたがって狭くなる先細部を一方側端部に有し、
前記先細部において最も幅広の幅広部の幅は、前記油受セグメントの前記延在方向の前記先細部側とは反対側の端における前記油受面の幅よりも大きい一方、前記先細部において最も幅狭の幅狭部の幅は、前記反対側の端における前記油受面の幅よりも小さく、
前記油受セグメントの先細部が、前記油受セグメントの前記先細部側とは反対側に係合されている、請求項２乃至４のいずれか１つに記載の乗客コンベア。
【請求項７】
前記油受は、トラスの下部機械室に着脱不可能に配置されたオイルパンを覆う部分を含む、請求項１乃至６のいずれか１つに記載の乗客コンベア。
【請求項８】
前記油受は、鉛直方向の上方から見たときに、前記踏段チェーンの全てに重なる踏段チェーン油受部と、前記手摺チェーンの全てに重なる手摺チェーン油受部とを含む、請求項１乃至７のいずれか１つに記載の乗客コンベア。
【請求項９】
前記油受は、制御盤に接続される制御盤接続部と、駆動機に接続される駆動機接続部とを含む、請求項１乃至８のいずれか１つに記載の乗客コンベア。
【発明の詳細な説明】
【技術分野】
【０００１】
本発明は、乗客コンベアに関し、エスカレーターや、動く歩道に関する。
【背景技術】
【０００２】
特許文献１に記載されているように、エスカレーターは、ループ状の踏段チェーンを回動するスプロケットで循環移動させて、踏段チェーンと一体に構成される複数の踏板を循環移動させる。また、同様に、ループ状の手摺チェーンを回動するスプロケットで循環移動させて、手摺チェーンで駆動ローラを回動させ、駆動ローラと加圧ローラに挟まれた手摺を循環移動させる。各種チェーンには、トラスに設置された自動給油装置から潤滑油が供給される。この潤滑油の供給により、各種チェーンの摩耗や、各種チェーンを起源とする異音の発生を抑制している。
【先行技術文献】
【特許文献】
【０００３】
【特許文献１】特開平０７−０３３３７４号公報
【発明の概要】
【発明が解決しようとする課題】
【０００４】
潤滑油の一部は、各種チェーンから下方に滴下し、トラスの底面が、滴下した潤滑油で汚れる。よって、トラスの清掃が必要になるが、トラスは薄暗いため、清掃に労力が必要になるだけでなく、清掃を行いにくく、更には、清掃に長い時間が必要になる。
【０００５】
そこで、本発明の目的は、トラス内の清掃作業を軽減できる乗客コンベアを提供することにある。
【課題を解決するための手段】
【０００６】
上記課題を解決するため、本開示に係る乗客コンベアは、踏板を移動させるための踏段チェーンと、手摺を移動させるための手摺チェーンとを備える乗客コンベアであって、鉛直方向の上方から見たときに、少なくとも一部が、前記踏段チェーン及び前記手摺チェーンのうちの少なくとも一方における少なくとも一部分に重なる位置に配置される油受を備え、前記油受は、その少なくとも一部分から滴下した油を収容する凹部を含み、着脱可能な構造を有する。
【０００７】
本発明によれば、踏段チェーン及び手摺チェーンのうちの少なくとも一方における少なくとも一部分から滴下する潤滑油（以下、単に油という）を油受で受けることができ、その油でトラス底面が汚れることを抑制できる。更には、油受が着脱可能な構造を有するので、使い捨ての油受を採用することで、油受を取り換えるだけでよくなり、原則的にその油受の下方領域の清掃を行う必要がない。又は、汚れた油受をきれいな油受に取り換えると共に、汚れた油受を清掃し易い場所かつ所望のタイミングで清掃できる。よって、トラスの清掃作業を格段に容易に実行できる。
【０００８】
また、本発明において、前記油受は、鉛直方向の上方から見たとき略直線上に延在する直線延在部を有し、前記直線延在部は、その延在方向に延在すると共に、前記凹部の少なくとも一部を構成する溝を有し、前記直線延在部は、前記延在方向に一列に接続される複数の油受セグメントを含み、前記各油受セグメントは、着脱可能になっていてもよい。
【０００９】
油は、落ちにくい箇所と、落ち易い箇所があり、油が溜まり易い箇所と、油が溜まり難い箇所がある。上記構成によれば、油受が、直線延在部を有し、直線延在部が、延在方向に一列に接続される複数の油受セグメントを含む。したがって、汚れた油受セグメントのみを取り換えればよく、トラスの清掃が格段に容易になる。
【００１０】
また、本発明において、前記油受セグメントは、略平面からなる載置面を含んでもよい。
【００１１】
上記構成によれば、油受セグメントをトラス底面に安定に載置することができる。
【００１２】
また、本発明において、前記直線延在部は、トラスにおいて水平面に対して傾斜する傾斜部に傾斜するように配置される傾斜直線延在部を含み、前記傾斜直線延在部に含まれると共に前記延在方向に隣り合う２つの前記油受セグメントに関して、鉛直方向の上方から見たとき、上側に配置される前記油受セグメントの油受面における下側端部は、下側に配置される前記油受セグメントの油受面における上側端部に重なると共に、前記上側端部よりも鉛直方向の上側に位置してもよい。
【００１３】
上記構成によれば、傾斜直線延在部の油受面に滴下した油を円滑に下方側に流動させることができる。よって、例えば、油受の下方側に油収容部を設けることで、油を効率的に油収容部に収容できる。
【００１４】
また、本発明において、前記直線延在部において前記延在方向に隣り合う２つの前記油受セグメントは、磁力で接続されてもよい。
【００１５】
上記構成によれば、油受セグメントの着脱を容易に実行でき、油受セグメントの取扱性も良好なものにできる。
【００１６】
また、本発明において、前記油受セグメントは、油受面の幅が前記延在方向の一方側に行くにしたがって狭くなる先細部を一方側端部に有し、前記先細部において最も幅広の幅広部の幅は、前記油受セグメントの前記延在方向の前記先細部側とは反対側の端における前記油受面の幅よりも大きい一方、前記先細部において最も幅狭の幅狭部の幅は、前記反対側の端における前記油受面の幅よりも小さく、前記油受セグメントの先細部が、前記油受セグメントの前記先細部側とは反対側に係合されてもよい。
【００１７】
上記構成によれば、油受セグメントの先細部を、他の油受セグメントの先細部側とは反対側の端部における表側に係止できる。そして、油漏れが略起こらず、簡素な構造で接続も容易な油受セグメントを実現できる。
【００１８】
また、本発明において、前記油受は、トラスの下部機械室に着脱不可能に配置されたオイルパンを覆う部分を含んでもよい。
【００１９】
トラスの下部機械室には、下部スプロケットや各種配線等が配置され、作業スペースが制約される。したがって、下部機械室に着脱不能に設置されるオイルパンの清掃は容易でない。しかしながら、本構成によれば、油受は、トラスの下部機械室に着脱不可能に配置されたオイルパンを覆う部分を含む。よって、オイルパンの汚れを低減でき、清掃作業を軽減できる。
【００２０】
また、本発明において、前記油受は、鉛直方向の上方から見たときに、前記踏段チェーンの全てに重なる踏段チェーン油受部と、前記手摺チェーンの全てに重なる手摺チェーン油受部とを含んでもよい。
【００２１】
上記構成によれば、踏段チェーン及び手摺チェーンから滴下する全ての油を油受で収容できる。よって、トラスの清掃作業の労力を大きく低減でき、清掃時間も大幅に短縮できる。
【００２２】
また、本発明において、前記油受は、制御盤に接続される制御盤接続部と、駆動機に接続される駆動機接続部とを含んでもよい。
【００２３】
上記構成によれば、油受をトラスに簡単かつ確実に固定できる。
【発明の効果】
【００２４】
本発明に係る乗客コンベアによれば、トラス内の清掃作業を軽減できる。
【図面の簡単な説明】
【００２５】
【図１】本発明の一実施形態に係るエスカレーターの概略構成図である。
【図２】上記エスカレーターを鉛直方向上方から見たときの油受の配置範囲を示す模式平面図である。
【図３】（ａ）は、駆動機のボルト締込部に対するボルト係止部の固定構造を表す平面図であり、（ｂ）は、ボルトの側面図である。
【図４】（ａ）は、油受セグメントを上側から見たときの模式平面図であり、（ｂ）は、油受の直線延在部において延在方向に隣り合う２つの油受セグメントの接続部を上側から見たときの模式平面図である。
【図５】図４（ａ）のＢ−Ｂ線模式断面図である。
【図６】図４（ｂ）のＣ−Ｃ線模式断面図である。
【図７】変形例の油受セグメントを鉛直方向の上方から見たときの平面図である。
【図８】（ａ）〜（ｄ）は、互いに異なる変形例の油受セグメントにおける延在方向に直交する断面での模式断面図である。
【発明を実施するための形態】
【００２６】
以下に、本発明に係る実施の形態について添付図面を参照しながら詳細に説明する。なお、以下では、乗客コンベアがエスカレーターである場合について説明するが、乗客コンベアは複数の踏段が段差なく連なる動く歩道であってもよい。また、以下において複数の実施形態や変形例などが含まれる場合、それらの特徴部分を適宜に組み合わせて新たな実施形態を構築することは当初から想定されている。
【００２７】
図１は、本発明の一実施形態に係るエスカレーター１の概略構成図である。図１に示すように、エスカレーター１は、本体枠１３、一対の欄干２、複数の踏板３、踏段チェーン６、上部踏段スプロケット４、下部踏段スプロケット５、駆動スプロケット７、駆動チェーン９、手摺１０、複数の手摺駆動装置１１、手摺駆動スプロケット１２、第１手摺チェーン１８、駆動機（巻上機）８、及び油受２４を備える。
【００２８】
本体枠１３は、高さが異なる階床間に亘って配設され、一対の欄干２は、本体枠１３の幅方向の両側に設けられる。踏板３は、一対の欄干２の間に配設される。複数の踏板３は踏段チェーン６により無端状に連結され、踏段チェーン６は、上部踏段スプロケット４と下部踏段スプロケット５の間に掛け渡される。
【００２９】
駆動スプロケット７は、上部踏段スプロケット４と同軸上に設けられ、駆動チェーン９は、駆動スプロケット７と駆動機８の間に掛け渡される。駆動機８の駆動力が、駆動チェーン９、駆動スプロケット７、及び上部踏段スプロケット４を介して踏段チェーン６に伝達されることによって、踏段チェーン６が、上部踏段スプロケット４と下部踏段スプロケット５の間を循環移動し、それに伴って複数の踏板３が循環移動する。
【００３０】
手摺１０は、欄干２の周縁部に循環移動可能に取り付けられ、複数の手摺駆動装置１１によって循環移動する。複数の手摺駆動装置１１は、トラス３０の傾斜部３８にトラス３０の延在方向に間隔をおいて配置される。なお、図１においては、一つの手摺駆動装置１１のみが図示されている。手摺駆動装置１１は，上部踏段スプロケット４と同軸上に設けられた手摺駆動スプロケット１２に巻き掛けられた第１手摺チェーン１８により駆動される。
【００３１】
手摺駆動装置１１は、複数の駆動ローラユニット１５、加圧ローラ１７、アイドラスプロケット１９、２連スプロケット２１、及び第２手摺チェーン２０を有する。駆動ローラユニット１５には、駆動ローラ（図示せず）及び駆動ローラ用スプロケット（図示せず）が同軸上に一体に設けられる。駆動ローラ、加圧ローラ１７、アイドラスプロケット１９、及び２連スプロケット２１は、欄干２と略平行に延在する取付枠（図示せず）に回動自在に取り付けられる。
【００３２】
加圧ローラ１７は、手摺１０を挟んで駆動ローラと対向する位置に配設され、アイドラスプロケット１９は、駆動ローラユニット１５よりも２連スプロケット２１側に配設される。２連スプロケット２１には、第１及び第２スプロケット２１ａ,２１ｂが同軸上に設けられる。
【００３３】
第２手摺チェーン２０は、無端のループ状であり、駆動ローラ用スプロケット、アイドラスプロケット１９、及び第１スプロケット２１ａに掛け渡される。詳述しないが、アイドラスプロケット１９の軸部は、図１に矢印Ａで示す方向に延在する長孔（図示せず）に取り付けられ、アイドラスプロケット１９の取付位置は、矢印Ａ方向に移動可能になっている。このことから、第２手摺チェーン２０の張力は、アイドラスプロケットの取付位置の調整によって調整可能になっている。駆動機８の動力により、第１手摺チェーン１８を介して２連スプロケット２１が回動し、その結果、第２手摺チェーン２０が循環移動して、第２手摺チェーン２０が掛け渡された駆動ローラ用スプロケットと一体の駆動ローラが回動する。そして、駆動ローラの回動により、駆動ローラと加圧ローラに挟まれた手摺１０が摩擦駆動される。加圧ローラ１７は、手摺１０を駆動ローラに押し付け、従動回転する。第１手摺チェーン１８及び第２手摺チェーン２０は、手摺チェーンを構成する。
【００３４】
油受２４は、鉛直方向上方から見たとき、踏段チェーン６、手摺チェーン、及び駆動チェーン９に重なる部分を有し、踏段チェーン６、手摺チェーン、及び駆動チェーン９よりも鉛直方向下方に配置される。油受２４は、上側のみが開口する凹部である油収容部を含み、凹部は、鉛直方向上方から見たとき、踏段チェーン６、手摺チェーン、及び駆動チェーン９に重なる部分を有する。このことから、油受２４、及び油収容部は、鉛直方向上方から見たとき、踏段チェーン６、及び手摺チェーンに重なる。
【００３５】
図２は、鉛直方向上方から見たときの油受２４の配置範囲を示す模式平面図である。図２に示すように、油受２４は、２つの第１及び第２直線延在部３５,３６と、トラス３０の下部機械室３９の底面の大部分を覆うように配置されるトレイ部４１を含む。第１及び第２直線延在部３５,３６は、トラス３０の幅方向に間隔をおいて配置され、トラス３０の延在方向に延在する。第１及び第２直線延在部３５,３６の夫々は、後で詳述するが、断面円弧の樋形状を有する。
【００３６】
トレイ部４１は、下部機械室３９において水平面で構成される底面の略全域に載置される。トレイ部４１は、トレイ状の形状を有し、縁部が全周に亘って上側に屈曲し、その結果、環状の縁部及び底板部が、油を収容する油収容部を構成する。トレイ部４１は、例えば、複数の着脱可能な部分からなり、図２に示す例では、例えば、４つの部分４１ａ〜４１ｄで構成される。各部分４１ａ〜４１ｄは、平面視において同一の矩形状を有し、例えば、底板部の縁部端面の少なくとも一部を構成する磁石で着脱可能に一体に接続される。
【００３７】
４つの部分４１ａ〜４１ｄのうちでトラス３０の傾斜部３８側に位置する２つの傾斜側部分４１ａ,４１ｃに関し、その傾斜部３８側の縁部には、その縁部を貫通して上側に開口する円弧状の切欠（図示せず）が設けられる。第１直線延在部３５の下方側端部は、傾斜側部分４１ａの切欠に係止され、第１直線延在部３５が傾斜側部分４１ａに接続される。また、同様に、第２直線延在部３６の下方側端部は、傾斜側部分４１ｃの切欠に係止され、第２直線延在部３６が傾斜側部分４１ｃに接続される。樋形状の第１直線延在部３５の内面、樋形状の第２直線延在部３６の内面、及びトレイ部４１の油収容部は、油受２４の凹部を構成する。
【００３８】
第１直線延在部３５は、トラス３０底面に載置され、鉛直方向上側から見たとき、トラス幅方向一方側に位置する踏段チェーン６及び手摺チェーンに重なる位置に載置される。第１直線延在部３５は、トラス幅方向一方側に位置する踏段チェーン６及び手摺チェーンから下方に滴下した油を受け止める。第１直線延在部３５は、鉛直方向上側から見たとき、トラス３０の傾斜部３８の幅方向一方側に位置する全ての手摺駆動装置１１に重なる。これにより、該油がトラス底面に到達することがなく、トラス底面がその油で汚染されることを防止できる。
【００３９】
また、同様に、第２直線延在部３６は、トラス３０底面に載置され、鉛直方向上側から見たとき、トラス幅方向他方側に位置する踏段チェーン６及び手摺チェーンに重なる位置に載置される。第２直線延在部３６は、トラス幅方向他方側に位置する踏段チェーン６及び手摺チェーンから下方に滴下した油を受け止める。第２直線延在部３６は、鉛直方向上側から見たとき、トラス３０の傾斜部３８の幅方向他方側に位置する全ての手摺駆動装置１１に重なる。これにより、該油がトラス底面に到達することがなく、トラス底面がその油で汚染されることを防止できる。
【００４０】
図２の参照を続けて、第１直線延在部３５は、例えば、駆動機８に固定される。この固定は、例えば、駆動機８に、その側面から水平方向に突出するボルト締込部を設けると共に、第１直線延在部３５の上側端部にボルト係止部を設けることで実現できる。図３（ａ）は、駆動機８のボルト締込部８ａに対するボルト係止部４３の固定構造を表す平面図である。図３（ａ）に示すように、ボルト係止部４３は、輪状部分４８を有し、輪状部分４８は、円筒孔を有する。この円筒孔の直径は、図３（ｂ）に示すボルト５０の軸部５０ｂの直径よりも僅かに大きく、ボルト５０の頭部５０ａの直径よりも小さい。ボルト５０の軸部５０ｂを、輪状部分４８を通過させた後、ボルト締込部８ａのねじ孔に締め込むことで、輪状部分４８、ひいては、第１直線延在部３５の一端部が、駆動機８に固定される。
【００４１】
一方、図２を参照して、第２直線延在部３６は、例えば、制御盤５５に固定される。この固定は、例えば、磁石を用いて実行される。なお、第１及び第２直線延在部３５,３６を、トラス３０の上部機械室３７に設置された装置等に固定する場合について説明した。しかし、第１及び第２直線延在部のうちの少なくとも一方の一端部は、上部機械室に設置された装置等に固定されなくてもよい。この場合、例えば、第１及び第２直線延在部のうちの少なくとも一方の上側端部が、重量物、例えば、コンクリートや鉄の塊を含むようにして、該上側端部が載置した場所に対して移動できないようにしてもよい。
【００４２】
次に、第１直線延在部３５の構造を、図４〜図６を用いて説明する。なお、第１直線延在部３５と同様の構造を有する第２直線延在部３６については、説明を省略する。第１直線延在部３５は、その延在方向に一列に接続される複数の油受セグメントを含み、各油受セグメントは、着脱可能になっている。図４（ａ）は、油受セグメント６０を上側から見たときの模式平面図であり、図４（ｂ）は、第１直線延在部３５の延在方向に隣り合う２つの油受セグメント６０の接続部を上側から見たときの模式平面図である。
【００４３】
図４に示すように、油受セグメント６０は、一方側端部に幅狭部７２を有し、幅狭部７２の幅は、油受セグメント６０における幅狭部７２以外の幅広部７１の幅よりも小さくなっている。図４（ｂ）に示すように、接続状態では、鉛直方向から見たとき、幅狭部７２の先端側が、幅広部７１に重なる。
【００４４】
図５は、図４（ａ）のＢ−Ｂ線模式断面図であり、油受セグメント６０における延在方向に直交する平面での模式断面図である。図５に示すように、油受セグメント６０は、円弧状部８１と、土台部８２を含む。円弧状部８１は、断面円弧状の内面を有し、この内面は、第１直線延在部３５の溝の内面を構成する。油受セグメント６０が面対称となる平面Ｐ１であって油受セグメント６０の延在方向と高さ方向を含む平面Ｐ１が存在する。
【００４５】
土台部８２は、例えば、幅広部７１の延在方向の全域に設けられ、幅広部７１の幅方向一方側から幅方向他方側に延在する。土台部６２は、トラス３０底面に載置される載置面８３を含み、載置面８３は、略平面で構成され、平面Ｐ１に直交する。油受セグメント６０に土台部８２を設け、土台部８２の載置面８３をトラス３０底面に当接させることで、油受セグメント６０をトラス３０の底面で安定に支持できる。なお、土台部８２の幅は、幅広部７１の幅の７０％以上の長さを有すれば好ましいが、幅広部７１の幅の７０％未満の長さでもよい。また、土台部、及び略平面状の載置面は、油受セグメントに存在しなくてもよい。
【００４６】
図６は、図４（ｂ）のＣ−Ｃ線模式断面図であり、油受セグメント６０における延在方向に直交する平面での模式断面図である。図６に示すように、幅狭部７２の先端側は、幅広部７１の円弧状部８１が画定する溝内に配置される。幅狭部７２は、円弧状部９１と、円弧状磁石部９２を含み、円弧状部９１の下面の曲率は、円弧状磁石部９２の上面の曲率と略一致する。円弧状磁石部９２は、円弧状部９１の下側における幅方向中央部に例えば接着剤で固定される。他方、幅広部７１は、幅狭部７２側とは反対側の端部に円弧状磁石部９３を含み、円弧状磁石部９３の下面の曲率は、円弧状部８１の上面の曲率と略一致する。円弧状磁石部９３は、円弧状部８１の上側における幅方向中央部に例えば接着剤で固定される。第１直線延在部３５において隣り合う各２つの油受セグメント６０は、一方の油受セグメント６０における幅狭部７２の円弧状磁石部９２の下面が他方の油受セグメント６０における幅広部７１の円弧状磁石部９３の上面に磁力で固定される。この磁力による各隣り合う２つの油受セグメント６０の固定で、複数の油受セグメント６０が接続され、第１直線延在部３５が構成される。本実施例では、複数の油受セグメント６０が磁力で接続されるので、特定の油受セグメント６０が容易に着脱可能になる。
【００４７】
第１直線延在部３５においてトラス３０の傾斜部３８に配置される部分では、上側の油受セグメント６０の幅狭部７２を下側の油受セグメント６０の幅広部７１に接続する。その結果、上側の油受セグメント６０の端部を、下側の油受セグメント６０の凹部内に収容でき、油が接続部から傾斜部３８の底面側に漏れることを略防止できる。
【００４８】
また、トラス３０の傾斜部３８の底面は、トラス３０の上部機械室３７の底面に対して傾斜する。例えば、複数の油受セグメント６０には、傾斜油受セグメントが含まれ、この傾斜油受セグメントの土台部の載置面は、互いに傾斜する２つの平面を有する。一方の平面に対する他方の平面の傾斜角は、上部機械室３７の底面に対する傾斜部３８の底面の傾斜角に略一致する。傾斜油受セグメントを、傾斜部３８と上部機械室３７の接続部に配置することで、第１直線延在部３５が、上部機械室３７から下部機械室３９まで滑らかに延在することが可能になる。
【００４９】
以上、エスカレーター１は、踏板３を移動させるための踏段チェーン６と、手摺１０を移動させるための手摺チェーンとを備える。また、エスカレーター１は、鉛直方向の上方から見たときに、少なくとも一部が、踏段チェーン６及び手摺チェーンのうちの少なくとも一方における少なくとも一部分に重なる位置に配置される油受２４を備える。また、油受２４は、その少なくとも一部分から滴下した油を収容する凹部を含み、着脱可能な構造を有する。
【００５０】
本発明によれば、踏段チェーン６及び手摺チェーンのうちの少なくとも一方における少なくとも一部分から滴下する潤滑油（以下、単に油という）を油受２４で受けることができ、その油でトラス底面が汚れることを抑制できる。更には、油受２４が着脱可能な構造を有するので、使い捨ての油受２４を採用することで、油受２４を取り換えるだけでよくなり、原則的にその油受２４の下方領域の清掃を行う必要がない。又は、汚れた油受２４をきれいな油受２４に取り換えると共に、汚れた油受２４を清掃し易い場所かつ所望のタイミングで清掃できる。よって、トラスの清掃作業を格段に容易に実行できる。
【００５１】
また、油受２４は、鉛直方向の上方から見たとき略直線上に延在する直線延在部３５,３６を有し、直線延在部３５,３６は、その延在方向に延在すると共に、凹部の少なくとも一部を構成する溝を有してもよい。また、直線延在部３５,３６は、延在方向に一列に接続される複数の油受セグメント２４を含み、各油受セグメント６０は、着脱可能になっていてもよい。
【００５２】
油は、落ちにくい箇所と、落ち易い箇所があり、油が溜まり易い箇所と、油が溜まり難い箇所がある。本構成によれば、油受２４が、直線延在部３５,３６を有し、直線延在部３５,３６が、延在方向に一列に接続される複数の油受セグメント６０を含む。したがって、汚れた油受セグメント２４をのみを取り換えればよく、トラス３０の清掃が格段に容易になる。
【００５３】
また、油受セグメント６０は、略平面からなる載置面８３を含んでもよい。
【００５４】
上記構成によれば、油受セグメント６０をトラス底面に安定に載置できる。
【００５５】
また、直線延在部３５,３６はトラス３０において水平面に対して傾斜する傾斜部３８に傾斜するように配置される傾斜直線延在部を含んでもよい。そして、傾斜直線延在部に含まれると共に互いに接続される２つの油受セグメント６０に関して、鉛直方向の上方から見たとき、上側に配置される油受セグメント６０の油受面における下側端部は、下側に配置される油受セグメント６０の油受面における上側端部に重なると共に、該上側端部よりも鉛直方向の上側に位置してもよい。
【００５６】
上記構成によれば、傾斜直線延在部の油受面に滴下した油を円滑に下方側に流動させることができる。よって、例えば、油受２４の下方側にトレイ部４１を設けることで、油を効率的にトレイ部４１に収容できる。
【００５７】
また、直線延在部３５,３６において延在方向に隣り合う２つの油受セグメント６０は、磁力で接続されてもよい。
【００５８】
上記構成によれば、油受セグメント６０の着脱を容易に実行でき、油受セグメント６０の取扱性も良好なものにできる。
【００５９】
また、油受２４は、トラス３０の下部機械室３９に着脱不可能に配置されたオイルパンを覆うトレイ部４１を含んでもよい。
【００６０】
トラス３０の下部機械室３９には、下部スプロケットや各種配線等が配置され、作業スペースが制約される。したがって、下部機械室に着脱不能に設置されるオイルパンの清掃は容易でない。係る背景において、本構成によれば、油受２４は、トラスの下部機械室に着脱不可能に配置されたオイルパンを覆うトレイ部４１を含む。よって、オイルパンの汚れを低減でき、清掃作業を軽減できる。
【００６１】
また、油受２４は、鉛直方向の上方から見たときに、踏段チェーン６の全てに重なる踏段チェーン油受部と、手摺チェーンの全てに重なる手摺チェーン油受部とを含んでもよい。
【００６２】
上記構成によれば、踏段チェーン６及び手摺チェーンから滴下する全ての油を油受で収容できる。よって、トラスの清掃作業の労力を大きく低減でき、清掃時間も大幅に短縮できる。
【００６３】
更には、油受２４は、制御盤に接続される制御盤接続部と、駆動機８に接続される駆動機接続部とを含んでもよい。
【００６４】
上記構成によれば、油受２４をトラス３０に簡単かつ確実に固定できる。
【００６５】
なお、本発明は、上記実施形態およびその変形例に限定されるものではなく、本願の特許請求の範囲に記載された事項およびその均等な範囲において種々の改良や変更が可能である。
【００６６】
例えば、上記実施形態では、直線延在部３５,３６において延在方向に隣り合う２つの油受セグメント６０を、油受セグメント６０の上下面に設置された円弧状磁石部９２,９３で接続する場合について説明した。しかし、直線延在部において延在方向に隣り合う２つの油受セグメントを、油受セグメントの側面に設置された磁石で接続してもよい。
【００６７】
また、油受セグメント同士の接続は、磁石を用いて実行しなくてもよい。例えば、油受セグメント同士の接続を、磁石でなくて両面テープやマジックテープ（登録商標）を用いて実行してもよい。又は、図７、すなわち、変形例の油受セグメント１６０を鉛直方向の上方から見たときの平面図に示すように、油受セグメント１６０は、油受面１６１の幅が延在方向の一方側に行くにしたがって狭くなる先細部１６２を一方側端部に有してもよい。また、先細部１６２において最も幅広の幅広部１６８の幅は、油受セグメント１６０の延在方向の先細部１６２側とは反対側の端１６４における油受面の幅よりも大きい一方、先細部１６２において最も幅狭の幅狭部の幅は、上記反対側の端における油受面の幅よりも小さくてもよい。そして、油受セグメント１６０の先細部１６２が、他の油受セグメント１６０の先細部１６２側とは反対側に係合されてもよい。本変形例によれば、油受セグメント１６０の先細部１６２を、他の油受セグメント１６０の先細部１６２側とは反対側の端部における表側に係止できる。そして、油漏れが略起こらず、簡素な構造で接続も容易な油受セグメント１６０を実現できる。
【００６８】
また、油受セグメント６０の油受面の断面形状が、円弧状である場合について説明した。しかし、図８（ａ）、すなわち、他の変形例の油受セグメント２６０における延在方向に直交する断面での模式断面図に示すように、油受セグメント２６０の油受面２６７の断面形状は、矩形でもよい。このようにして、油受セグメント２６０の平面状の載置面２８３をトラス底面に安定に載置してもよい。
【００６９】
又は、図８（ｂ）、すなわち、他の変形例の油受セグメント３６０における延在方向に直交する断面での模式断面図に示すように、油受セグメント３６０の油受面３６７は、延在方向に直交する断面において、矩形部分３７０ａと、高さ方向上側に行くにしたがって末広がりとなる略ハ字状の末広がり部３７０ｂを含んでもよい。そして、末広がり部３７０ｂは、矩形部分３７０ａの上端から高さ方向上側に延在してもよい。このようにして、幅方向の広い範囲で油を受けることができるようにしてもよい。
【００７０】
又は、図８（ｃ）、すなわち、他の変形例の油受セグメント４６０における延在方向に直交する断面での模式断面図に示すように、図８（ｂ）に示す油受セグメント３６０との比較で、略ハ字状の末広がり部４７０ｂの幅方向の一方側の壁部４７１の長さを他方側の壁部４７２の長さよりも長くしてもよい。そして、長くした側に滴下する油を回収し易くしてもよい。
【００７１】
又は、図８（ｄ）、すなわち、他の変形例の油受セグメント５６０における延在方向に直交する断面での模式断面図に示すように、油受セグメント５６０が、円弧状部５６１の底部５６２から高さ方向に直交水平方向に延在する平板部５６３を有してもよい。このようにして、図５に示す油受セグメント６０との比較で、油受セグメント５６０の材料費を低減し、油受セグメント５６０の製造コストを低減してもよい。
【００７２】
また、油受２４が、鉛直方向の上方から見たとき略直線上に延在する直線延在部３５,３６を有し、直線延在部３５,３６が、延在方向に一列に接続される複数の油受セグメント６０を含み、各油受セグメント６０が着脱可能である場合について説明した。また、油受２４が、トラス３０の下部機械室３９に着脱不可能に配置されたオイルパンを覆うトレイ部４１を含む場合について説明した。
【００７３】
しかし、直線延在部は、一体の構造を有してもよく、複数の油受セグメントで構成されなくてもよい。又は、油受は、直線延在部を有さなくてもよく、更には、油受は、トラスの下部機械室に着脱不可能に配置される部分を有さなくてもよい。より詳しくは、油受は、例えば、鉛直方向上側から見たとき、踏段チェーン及び手摺チェーンのうちの少なくとも一方における少なくとも一部分に重なるように配置されると共に油収容凹部を有する油収容部でもよい。この構成でも、油収容部を油が滴下し易い箇所に配置することで、油がトラス底面を汚染することを抑制できる。よって、トラスの清掃作業の労力を低減できる。
【符号の説明】
【００７４】
１  エスカレーター、  ３  踏板、  ６  踏段チェーン、  ８  駆動機、  １０  手摺、  １８  第１手摺チェーン、  ２０  第２手摺チェーン、  ２４  油受、  ３５  第１直線延在部、  ３６  第２直線延在部、  ４１  トレイ部、  ５５  制御盤、  ６０,１６０,２６０,３６０,４６０,５６０  油受セグメント、  ８３,２８３  載置面、  １６２  先細部、  １６４  先細部側とは反対側の端。
【図１】
2019189394.tif 000003
【図２】
2019189394.tif 000004
【図３】
2019189394.tif 000005
【図４】
2019189394.tif 000006
【図５】
2019189394.tif 000007
【図６】
2019189394.tif 000008
【図７】
2019189394.tif 000009
【図８】
2019189394.tif 000010